(57)【要約】      （修正有）【課題】カメラブロックと記録媒体を内蔵したディスクブロックとで構成され、カメラブロックに着脱自在のメモリカードを内蔵し、メモリカードを交換することによりカメラブロック単体で長時間記録を可能にした使い勝手の良い映像信号記録再生装置を提供する。【解決手段】撮像素子１、映像ディジタル圧縮手段２、マイクロフォン５、音声ディジタル圧縮手段６、インターフェース端子１５、電源バッテリ手段１７、電源出力端子１８、操作キーを備えた第一の構造ブロックと、記録媒体とした記録再生ドライブ装置、インターフェース端子、電源入力端子を備えた第二の構造ブロックとで構成される映像信号記録再生装置において、第一の構造ブロックと第二の構造ブロックの持続を検知すると、電源を記録再生ドライブ装置に供給し、映像音声保存メモリ手段１３に記録されている符号化データを第二の構造ブロックとのデータを送受しディスク媒体３７に複製する。【選択図】        図１
2004260701.tif 000002
【特許請求の範囲】
【請求項１】
被写体の画像から映像信号を得る撮像素子と、該撮像素子からの映像信号をディジタル化及び符号化する映像ディジタル圧縮手段と、入力された音声から音声信号を得るマイクロフォンと、該マイクロフォンからの音声信号をディジタル化及び符号化する音声ディジタル圧縮手段と、前記映像ディジタル圧縮手段及びまたは前記音声ディジタル圧縮手段と外部ブロックと接続をして符号化データを送受信する第一のインターフェース端子と、電源を供給する電源バッテリ手段と、該電源バッテリ手段からの電源を外部ブロックに出力する電源出力端子と、各種入力操作をするための操作キーとを備えた第一の構造ブロックと、
着脱可能な磁気ディスクまたは光ディスクのディスク媒体を記録媒体とした記録再生ドライブ装置と、前記第一のインターフェース端子との間で符号化データを送受信する第二のインターフェース端子と、前記電源出力端子からの電源を入力する電源入力端子とを備えた第二の構造ブロックとで構成される映像信号記録再生装置において、
前記第一の構造ブロックは、前記映像ディジタル圧縮手段及びまたは前記音声ディジタル圧縮手段より得られた映像及びまたは音声の符号化データを記録する着脱可能な映像音声保存メモリ手段と、前記第一のインターフェース端子と前記第二のインターフェース端子及び前記電源出力端子と前記電源入力端子の接続を検知する接続検知手段とを有し、該接続検知手段で前記第二の構造ブロックの接続を検知すると、前記電源バッテリ手段の電源を前記電源出力端子及び前記電源入力端子を介して、前記記録再生ドライブ装置に供給するとともに、前記映像音声保存メモリ手段に記録されている符号化データを前記第一のインターフェース端子及び第二のインターフェース端子を介する第二の構造ブロックとのデータを送受し、前記映像音声保存メモリ手段の情報を前記ディスク媒体に複製することを特徴とする映像信号記録再生装置。
【請求項２】
請求項１記載の映像信号記録再生装置において、
上記第一の構造ブロックは、上記接続検出手段により第二の構造ブロックと接続したことを検出すると、自動的に第一の構造ブロック及び第二の構造ブロックの電源が投入され、映像音声保存メモリ手段の符号化データを第二の構造ブロック内の記録媒体に複製することを特徴とする映像信号記録再生装置。
【請求項３】
請求項１又は２に記載の映像信号記録再生装置において、
上記映像音声保存メモリ手段の取り出しを禁止する取り出しロック手段を有し、前記映像音声保存メモリ手段の符号化データを第二の構造ブロック内の記録媒体に複製動作中に、当該映像音声保存メモリ手段の取り出しを不能にすることを特徴とする映像信号記録再生装置。
【請求項４】
請求項１乃至３のいずれか１項に記載の映像信号記録再生装置において、
上記電源を供給する電池の残量を検出する電池残量検出手段と、転送コピー時の消費電流値を予め記憶する消費電流テーブルと、前記電池残量検出手段及び消費電流テーブルから電池の駆動可能時間を算出する電池駆動時間算出手段と、上記映像音声信号保存メモリ手段内の符号化データを複製するのに要するコピー時間を算出するコピー時間算出手段と、前記コピー時間と前記電池駆動可能時間とを比較する時間比較手段と、電池駆動可能時間内で複製可能な符号化データ量を算出する複製データ算出手段と、前記コピー時間より前記電池駆動可能時間が長い場合に、前記複製データ算出手段によるデータ量に従い、前記映像音声保存メモリ手段の符号化データを第二の構造ブロック内のディスク媒体に複製する手段とを有することを特徴とする映像信号記録再生装置。
【請求項５】
請求項４記載の映像信号記録再生装置において、
複製動作による複製処理中に上記電池残量検出手段により電池残量が所定の値を下回ったことを検出した場合は、符号化データの任意の単位データの終わりの部分まで記録し複製された符号化データを個別のファイル単位で保存するとともに、記録が中断したことを示す情報を上記ディスク媒体に同時に記録し、複製動作を終了し、再度前記電池残量及び消費電力検出手段により電池残量が所定の値を上回ったことを検出した場合は、記録が中断した時の前記任意の単位データの次の符号化データから自動的に複製動作を続けること特徴とする映像信号記録再生装置。
【発明の詳細な説明】
【０００１】
【発明の属する技術分野】
この発明は、映像記録再生装置であり、特に磁気ディスク、光ディスク等を応用したビデオカメラに係わる。
【０００２】
【従来の技術】
現在、記録媒体を光ディスクとするビデオカメラが簡単編集、高画質により注目を集めている。一方、カメラブロックと記録媒体のブロックを分離可能とし、カメラブロック単体でも映像を記録することのできる装置が注目されつつある。
【０００３】
従来の技術では、映像及び音声の圧縮回路を用いて、映像音声を符号化し、光ディスク装置に記録する方式のビデオカメラにおいて、カメラブロックと光ディスクブロックに分離できるシステム構成が実現できる技術がある。カメラブロック単体においても内蔵されたメモリ手段に映像音声信号を記録できるとともに光ディスク媒体にメモリ手段の映像音声信号をコピーすることを可能とし、さらに記録する映像音声信号の記録する順序がメモリ手段に記載されるようになっている。またカメラブロックに内蔵されたメモリ手段の残量が無くなった場合にはユーザへの報知手段により報知されるようになっている。またカメラブロックと光ディスクブロックを一体とした場合に、カメラブロックの表示手段において、光ディスクブロックの記録残量が表示可能なことが記載されており、カメラブロックと光ディスクブロックが分離できることで、ビデオカメラとしての高機能な使い方とディジタルカメラの小型軽量な携帯性を活かした使い方ができる。（例えば、特許文献１参照）
【０００４】
一方、他の従来技術では、ディジタルカメラの記録媒体から外部装置にデータ転送を行う技術に関するものがあり、ディジタルカメラに取り込んだ映像データを外部装置に送信する場合に、ディジタルカメラの電池残量を、通信機能の中で取得して、外部装置に組み込んだソフトウェアにおいて、データ転送を実行すべきか否かを判定する技術がある。（例えば、特許文献２参照）
【０００５】
【特許文献１】
特開２０００−４４１８号公報
【特許文献２】
特開平９−２１４８２２号公報
【０００６】
【発明が解決しようとする課題】
上記従来の特許文献１による技術では、カメラブロックと光ディスクブロックを分離して構成するので、カメラブロック単体で使用した場合は、非常に小型で機動性のあるカメラとすることができる。しかしながら、カメラブロックに内蔵するメモリは小容量の固定したメモリ手段であり、カメラブロック単体を用いて、動画映像を記録しようとしたときに、カメラブロック内部の小容量の固定したメモリ手段を用いたのでは、すぐに記録容量が不足になり、記録時間が短くなるという問題がある。さらに、カメラブロック内部のメモリ手段は不揮発性メモリではないので電源が遮断されるとメモリの内容を保存しておく手段が無いので、後から複数の光ディスク媒体に複製を作成するなどといったことができないという問題もある。
【０００７】
また、上記特許文献１及び特許文献２による技術では、カメラブロックと光ディスクブロックを接続した時に、自動的にカメラブロック内のメモリ手段のデータを光ディスクブロックに転送コピーすることには配慮されていないという問題もある。さらに、転送コピー中にはカメラブロック内のメモリ手段を外すとデータが不完全となるため、転送コピー中にはメモリ手段を外せないように禁止（ロック）する必要があるが、禁止手段には配慮されていないという問題もある。
【０００８】
また、上記従来の特許文献２による技術では、カメラブロック内蔵のメモリ手段に記録保存されたデータ量を外部記録ブロックに転送してコピー（複製）するのにかかる所要時間が、装置の電源バッテリの残量で本装置を駆動できる駆動可能時間より大きい場合、転送コピーの実行を禁止するようになっている。しかしながら、カメラブロック内部に保存されているデータを、電源バッテリの駆動可能時間の許す限りにおいて、動画映像の一部だけでも転送してコピーしたい場合には配慮されていないという問題がある。
【０００９】
また、上記特許文献１及び特許文献２による技術では、メモリ手段のデータを外部の記録装置に転送コピーして複製を作成中に電源バッテリが抜かれる等の電源異常時に、動画映像の一部だけが転送コピーされた状態で中断された場合、電源バッテリを再装着して電源が正常に戻った時には、再度自動的に転送してコピーされなかった残りのデータ全部を転送してコピーできるようにすることには配慮されていないという問題もあった。
【００１０】
本発明の目的は、上記課題を解決するために、カメラブロックと記録媒体を内蔵したディスクブロックとで構成され、カメラブロックに着脱自在のメモリカードを内蔵し、メモリカードを交換することによりカメラブロック単体で長時間記録を可能にした使い勝手の良い映像信号記録再生装置を提供することにある。
【００１１】
さらに第二の目的は、カメラブロックとディスクブロックを接続した時、カメラブロックのメモリカードからディスクブロックの記録媒体への自動コピー、メモリカード取外しロックさらに中断時の自動再開等の使い勝手の良い映像信号記録再生装置を提供することにある。
【００１２】
【課題を解決するための手段】
上記課題を解決するために、本発明は、被写体の画像から映像信号を得るための撮像素子と、前記撮像素子からの映像信号をディジタル化及び符号化するための映像ディジタル圧縮手段と、入力された音声から音声信号を得るためのマイクロフォンと、前記マイクロフォンからの音声信号をディジタル化及び符号化するための音声ディジタル圧縮手段と、前記映像ディジタル圧縮手段及びまたは前記音声ディジタル圧縮手段と外部ブロックと接続をして符号化データを送受信するための第一のインターフェース端子と、本ブロックに電源を供給する電源バッテリ手段と、前記電源バッテリ手段からの電源を外部ブロックに出力するための電源出力端子と、各種入力操作をするための操作キーとを備えた第一の構造ブロック（カメラブロック）と、着脱可能な磁気ディスクまたは光ディスクのディスク媒体を記録媒体とした記録再生ドライブ装置と、前記第一のインターフェース端子との間で符号化データを送受信するための第二のインターフェース端子と、前記電源出力端子からの電源を入力するための電源入力端子とを備えた第二の構造ブロック（ディスクブロック）とで構成される映像信号記録再生装置において、前記第一の構造ブロックには前記映像ディジタル圧縮手段及びまたは前記音声ディジタル圧縮手段より得られた映像及びまたは音声の符号化データを記録するための着脱可能な映像音声保存メモリ手段を設け、前記第一の構造ブロック単体の場合は、前記撮像素子およびまたはマイクロフォンからの映像音声信号を前記映像音声保存メモリ手段に記録し、前記第一の構造ブロックと前記第二の構造ブロックとを前記第一のインターフェース端子と前記第二のインターフェース端子及び前記電源出力端子と前記電源入力端子とにより接続した場合には、前記電源バッテリ手段の電源を前記電源出力端子及び前記電源入力端子を介して、前記記録再生ドライブ装置に供給するとともに、前記映像音声保存メモリ手段に記録されている符号化データを前記第一のインターフェース端子及び第二のインターフェース端子を介してデータを送受し、前記映像音声保存メモリ手段の情報を前記第二の構造ブロック内のディスク媒体に複製することを特徴とする。
【００１３】
これにより、メモリカードを交換することにより長時間記録を可能にすることができ、使い勝手が向上する。
【００１４】
さらに、前記第一のインターフェース端子と前記第二のインターフェース端子及び前記電源出力端子と前記電源入力端子とが接続されたことを検出するための接続検出手段を設け、前記接続検出手段により接続したことを検出した場合、自動的に前記第一の構造ブロック及び前記第二の構造ブロックの電源が投入され、前記映像音声保存メモリ手段の符号化データを第二の構造ブロック内の記録媒体に複製することを特徴とする。
【００１５】
これにより、カメラブロックとディスクブロックを接続した時、カメラブロックのメモリカードからディスクブロックの記録媒体へ自動的にコピーでき、使い勝手が向上する。なお、自動的な複製は、第一の構造ブロックに記録判別手段を設け、この記録判別手段により映像音声保存メモリ手段に映像及びまたは音声の符号化データが記録されていることを判別してから実行される。
【００１６】
さらに、前記映像音声保存メモリ手段の取り出しを禁止するための取り出しロック手段を設け、前記映像音声保存メモリ手段の符号化データを第二の構造ブロック内の記録媒体に複製動作中の場合には、前記映像音声保存メモリ手段を取り出し不能にすることを特徴とする。
【００１７】
これにより、カメラブロックからディスクブロックへ複製動作中はメモリカードの取外しがロックされるので、途中でメモリカードが取外されることによるデータの破壊を防止できる。
【００１８】
さらに、電池残量を検出する電池残量検出手段と、予め記憶されている転送コピー時の消費電流テーブルと、前記電池残量検出手段及び消費電流テーブルから電池の駆動可能時間を算出する電池駆動時間算出手段と、前記映像音声信号保存メモリ手段内の符号化データを複製するのに要するコピー時間を算出するコピー時間算出手段と、前記コピー時間と前記電池駆動可能時間とを比較する時間比較手段と、電池駆動可能時間内で複製可能な符号化データ量を算出する複製データ算出手段とを設け、前記コピー時間より前記電池駆動可能時間が長い場合は、前記複製データ算出手段によるデータ量に従い、前記映像音声保存メモリ手段の符号化データを第二の構造ブロック内の記録媒体に複製することを特徴とする。
【００１９】
これにより、電源バッテリの駆動可能時間の許す限りにおいて、動画映像の一部だけでも転送してコピーすることができ、使い勝手が向上する。
【００２０】
さらに、複製動作による複製処理中に前記電池残量検出手段により電池残量が所定の値を下回ったことを検出した場合は、符号化データの任意の単位データの終わりの部分まで記録し複製された符号化データを個別のファイル単位で保存するとともに、記録が中断したことを示す情報を前記ディスク媒体に同時に記録し、複製動作を終了し、再度前記電池残量及び消費電力検出手段により電池残量が所定の値を上回ったことを検出した場合は、記録が中断した時の前記任意の単位データの次の符号化データから自動的に複製動作を続けること特徴とする。
【００２１】
これにより、電源バッテリ取外し等による複製動作の中断時も複製動作を自動的に再開でき、使い勝手が向上する。
【００２２】
本発明により、カメラブロックと記録媒体を内蔵したディスクブロックとで構成される映像信号記録再生装置において、カメラブロックに着脱自在のメモリカードを内蔵し、メモリカードを交換することによりカメラブロック単体で長時間記録を可能にすることができる。さらに、カメラブロックとディスクブロックを接続した時、カメラブロックのメモリカードからディスクブロックの記録媒体への自動コピー、メモリカード取外しロックさらに中断時の自動再開ができる。
【００２３】
【発明の実施の形態】
本発明の実施の形態を説明する。
以下、本発明の光ディスクを用いた映像記録再生装置の実施例について、ＤＶＤカメラに適用した例を、図１から図８を用いて説明する。
【００２４】
実施例１を説明する。図１は、例えばＤＶＤ−ＲＡＭ（Ｄｉｇｉｔａｌ  Ｖｅｒｓａｔｉｌｅ  Ｄｉｓｃ−Ｒａｎｄｏｍ  Ａｃｃｅｓｓ  Ｍｅｍｏｒｙ）などの光ディスクを用いたビデオカメラであって、撮影時に使用するカメラブロック内に内蔵される回路ブロックの一例を示した図である。図２は、撮影された映像や音声信号を光ディスク媒体に保存する為のディスクブロック内に内蔵される回路ブロックの一例を示した図である。本実施例においては、図１のカメラブロックだけでも撮影が可能だが、図１のカメラブロックと図２のディスクブロックの回路を接続して、図１のカメラブロックの撮像手段及びまたはマイクからの映像音声信号を直接図２のディスクブロック内の光ディスク媒体に記録保存することもできる。
【００２５】
ＤＶＤなどの光ディスクにおいて、その直径が１２ｃｍのものが一般的であるが、その記録方式はディスク内周からであることを利用して小型ディスクが考案されている。そのひとつに直径が８ｃｍのディスクがあり、例えば８ｃｍサイズのものであればディスクブロックの外形サイズを高さ１００ｍｍ以下にすることができ、ビデオカメラとしても小型化することが可能である。また、光ディスクはディスク単体だけでカメラに装着されこともあるが、ディスクの保護を目的にディスクの外形に合わせたケースに入れられて、ケースごとディスクブロックに装着される場合が一般的である。本実施例では、８ｃｍサイズのＤＶＤディスクをケースに入れて装着する装置としている。
【００２６】
まず、カメラブロックの構成及び動作概要を、図１を用いて説明する。図１の回路ブロック図において、１は、光学レンズから撮像した光を電気信号に変換するＣＣＤイメージセンサ（Ｃｈａｒｇｅ  Ｃｏｕｐｌｅｄ  Ｄｅｖｉｃｅ）であり、テープを用いたビデオカメラとほぼ同様なものを用いている。４は記録や再生等の入力操作を行うための操作キー、８は文字情報等を映像信号に重畳するための文字発生部である。９、１０はレンズから得られた被写体映像や再生映像を表示することができるファインダ制御部とファインダ表示部で一般的には液晶パネルで構成されている。ファインダ制御部９は映像信号をファインダ表示部１０の表示形式に応じて変換し、駆動パルスを発生するものである。またファインダ表示部１０は対角線でのサイズが２インチから４インチの間の任意の大きさの液晶であり、撮影されメモリカード等に保存された映像や、ディスクに記録されている映像を再生する時は、表示することにより容易にその内容を確認することが可能となっている。
【００２７】
次に、カメラブロックだけを用いて撮影を行う場合の信号の流れを、図１を用いて説明する。光学レンズから得られた被写体映像はＣＣＤイメージセンサ１により光電変換される。次にこの映像信号は光学系における信号レベルの変化を図示していないＡＧＣ（Ａｕｔｏｍａｔｉｃ  Ｇａｉｎ  Ｃｏｎｔｒｏｌ）回路によって所定の信号レベルに設定されアナログ信号のため図示していないＡＤ（Ａｎａｌｏｇ    Ｄｉｇｉｔａｌ）変換回路によりディジタル信号となった後に、カメラ撮像信号処理部２に入力される。ＣＣＤイメージセンサ１から得られた映像信号は通常ＣＣＤイメージセンサ１の画素の配置に応じた信号のため、カメラ撮像信号処理部２によりＹ、Ｕ、Ｖ信号に変換されるとともに、映像のエンハンス等の各種処理が行われて出力される。また、カメラ撮像信号処理部２はＣＣＤイメージセンサ１に必要な駆動パルスやビデオ出力に必要な同期信号を生成し、各部に供給する。このときマイコンで構成されるカメラコントロール部３は、光学系の状態やＣＣＤイメージセンサ１から得られた映像信号や各種情報と、操作キー４から得られた情報によりカメラ撮像信号処理部２を最適に制御する。また同時にジャイロなどを用いた、角速度センサなどのアナログ出力をＡＤ変換した後にカメラコントロール部３に取り込み、ＣＣＤイメージセンサ１の駆動パルスを制御するなどして、撮影者がカメラを持つ手を振った場合、いわゆる手振れの状態でも比較的安定した映像をカメラ撮像信号処理部２が得るようにコントロールするようになっている。
【００２８】
カメラ撮像信号処理部２から得られたディジタルの映像信号は、例えば本実施例では１６ｂｉｔのパラレルデータとしてＭＰＥＧ２映像音声符号化部１１に送られる。ＭＰＥＧ２映像音声符号化部１１はＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）で構成される画像処理ＲＡＭ部７を映像メモリとしてカメラ撮像信号処理部２の映像を展開してＭＰＥＧ２（Ｍｏｖｉｎｇ  Ｐｉｃｔｕｒｅ  Ｅｘｐｅｒｔｓ  Ｇｒｏｕｐ）形式に従って映像信号のデータ量を約１／６０程度に圧縮する。一方、音声信号は、カメラブロックに内蔵されたマイク５より得た信号を音声ＡＤＣ６（Ａｎａｌｏｇ  Ｄｉｇｉｔａｌ  Ｃｏｎｖｅｒｔｏｒ）によりＡＤ変換し、  ＭＰＥＧ２映像音声符号化部１１にシリアルデータ形式で送られ、ＭＥＰＧ２規格のＭＰＥＧ１レイヤ２方式に従って圧縮される。さらにＭＰＥＧ２映像音声符号化部１１では圧縮された映像信号データと圧縮された音声信号データをマルチプレクスし映像音声データをＭＰＥＧデータストリームとして生成し、マイコンで構成されるシステムコントロール部１２の命令に従って、システム内部バス１４に出力する。ＭＰＥＧ２映像音声符号化部１１からシステム内部バス１４に出力された映像音声データはカード型のメモリ、いわゆるメモリカード１３に保存される。
【００２９】
ここで、例えばメモリカードの容量が１．４Ｇｂｙｔｅ程度であれば、ＤＶＤ−ＲＡＭ方式の８ｃｍサイズの光ディスクにおける片面の総容量とほぼ同一の保存が可能である。この為、例えば１．４Ｇｂｙｔｅ程度のメモリカード１３の容量があれば、ほぼ放送並の画質が得られると言われるＭＥＰＧ２方式の６Ｍｂｐｓの記録レートの信号を約３０分保存することができ、一般の家庭用ビデオカメラとして十分な画質と保存時間を得ることができるようになる。しかしながら、家庭用ビデオカメラの用途として、例えば結婚式にこのビデオカメラを使用した場合など通常１時間以上の記録時間が要求されるので、不足となってしまう。従って、この様にカードスロット１６を介して、メモリカード１３を取り付けることによって、メモリカード１３を交換できるので、長時間記録の場合でも、対応することができ、使い勝手が向上する。このように、本実施例では、図１に示すカメラブロックに必要最小限の回路とメモリカード１３を装備することにより、非常に小型・軽量で且つ実用的な家庭用ビデオカメラを実現しているのである。
【００３０】
ここで、このメモリカード１３は図示しているカードスロット１６に取り付けられ、カメラブロックからディスクブロックへ映像音声データの転送コピー動作をしていない状態であれば、ユーザの任意によって挿抜が可能となっている。また、映像音声データの転送コピー中は、システムコントロール部１２がソレノイド２０を駆動して、メモリカード１３を被うように付けられたフタのロック爪の動作を制限し、メモリカード１３をカードスロット１６から抜くことを禁止している。尚、このロック爪の詳細については、図８で後述する。
【００３１】
さらに、メモリカード１３の映像音声データをカメラブロックの外部に出力する場合は送受信インターフェース部１５によって、パラレル信号からシリアル形式に変換されるとともに、本実施例の場合ではＡＴＡＰＩ（ＡＴ  Ａｔｔａｃｈｍｅｎｔ  Ｐａｃｋｅｔ  Ｉｎｔｅｒｆａｃｅ）方式と呼ばれるＣＤ−ＲＯＭ（Ｃｏｍｐａｃｔ  Ｄｉｓｃ  Ｒｅａｄ  Ｏｎｌｙ  Ｍｅｍｏｒｙ）に代表される光ディスクドライブで広く使用されている形式に変換される。１７は電源部でＬｉイオン型の充電電池とＤＣ−ＤＣコンバータなどで構成されており、ＭＰＥＧ２映像音声符号化部１１やカメラ撮像信号処理部２が消費する電力と後述するディスクブロックに必要な電力を供給する。この場合入出力コネクタ１８はシリアル形式の映像音声データ信号と制御信号、５Ｖと３Ｖの電源端子等の約１２〜１３本程度で実現できるので、非常に小型にできる。上記の様に、効率の良い電源出力と、少ない本数のデータ信号端子で接続が可能となるので、ビデオカメラの形状をそこなうことが少ない。併せて、家庭用として十分な信頼性が得られるようになっている。
【００３２】
接続検出部１９は、図１のカメラブロックと後述の図２のディスクブロックをユーザが接続したことを検出するための回路で、接続を検出した時は自動的に、電源部１７の電源をＯＮにし、さらにディスクブロックの電源ＯＮのための制御信号と電源部１７からの電力を入出力コネクタ１８から、ディスクブロックに向けて出力し、ディスクブロックの電源がＯＮ後、メモリカード１３の映像音声データを入出力コネクタ１８を介して光ディスクの記録媒体に転送してコピーすることが可能となっている。尚、入出力コネクタ１８及び接続検出部１９の詳細については、図５で後述する。
【００３３】
次に、図２は本実施例における光ディスクドライブを内蔵したディスクブロックの回路ブロック図の一例を示したものである。２３は上記カメラブロック内に設けられた入出力コネクタ１８との映像音声データ信号、制御信号、電源等を送受信ためのシリアル信号入出力コネクタ、３３は光ディスク用のトラッキング、フォーカスおよびディスクのスピンドルサーボ回路とデータ書き込み読み出し時のエラー訂正用回路を集積化したディスク記録再生フォーマット、誤り訂正部、３４は光ディスク用のＲ／Ｗ（Ｒｅａｄ  ａｎｄ  Ｗｒｉｔｅ）アンプ・等化・サーボ検出部、３５はＤＶＤなどの光ディスクの信号を書き込み、読み出すことができる光ピックアップであり、半導体レーザを光源としてディスク記録再生フォーマット、誤り訂正部２３、Ｒ／Ｗアンプ・等化・サーボ検出部３４からの出力により制御を行って、光ディスクメディア３７の板面上に、例えばＤＶＤ−ＲＡＭ方式の場合は相変化方式により記録するものである。３６はドライブ全体を制御するマイコン部である。
【００３４】
尚、光ディスクメディア上３７に記録される信号はディジタル信号データであり、映像や音声、文字データといった用途の限定は無い。本実施例の場合、カメラブロックから得られた映像音声信号はＤＶＤ−ＲＡＭ規格のＲＴＲ（ＲｅａｌＴｉｍｅ  Ｒｅｃｏｒｄｉｎｇ）規格のＭＰＥＧ２方式に従ってデータが生成され、光ディスクメディア３７上はＤＶＤ−ＲＡＭの物理規格に従がって記録が行われる。また家庭用ビデオカメラの実用性を考慮して、光ディスクメディア３７の直径は８ｃｍとなっており、片面で約１．４Ｇｂｙｔｅ程度のデータを保存できるようになっている。
【００３５】
また、２４は光ディスクメディア３７の記録データをパソコンに転送したり、逆にパソコンから光ディスクメディア３７に保存したりする為のＵＳＢコネクタであり、２６はＵＳＢ２．０（Ｕｎｉｖｅｒｓａｌ  Ｓｅｒｉａｌ  Ｂｕｓ）方式に対応するためのＵＳＢインターフェース部である。このように、ディスクブロックに内蔵することによって、図１のカメラブロックの外形サイズを大型化することなく、パソコンとのデータの送受信もできるようにしたものである。また一般にＵＳＢインターフェース回路２６はＵＳＢ２．０方式などは数百ＭＨｚの高速転送を行うので、非常に消費電力が高くなる。この為、比較的に外形サイズの大きくなるディスクブロックに実装した方が、放熱という点から有利になるといった面もある。
【００３６】
次に、図１のカメラブロックと図２の光ディスクブロックを接続して動作させる場合の信号経路について説明する。まず、第一の信号経路としては上述した様に、ＣＣＤイメージセンサ１からの映像とマイク５からの音声信号を、ＭＰＥＧ２映像音声符号化部１１によって符号化（エンコード）した映像と音声信号をメモリカード１３に保存する形態である。この形態ではカメラブロックだけで撮影を行う事ができ、機動力、携帯性に優れるという利点がある。
【００３７】
次に、第二の信号経路としては、ディスクブロックとカメラブロックを接続して、ＭＰＥＧ２映像音声符号化部１１によってエンコードした映像と音声信号をメモリカード１３に保存するのでなく、直接送受信インターフェース部１５及び入出力コネクタ１８に送出して、シリアル信号入出力コネクタ２３から、ディスク記録再生フォーマット、誤り訂正部３３を通り、光ピックアップ３５によって光ディスクメディア３７に直接記録する方法である。既に公知の技術であるＤＶＤ応用カメラはこの経路で記録される。
【００３８】
次に、光ディスクメディア３７から映像音声信号を再生する第三の信号経路について説明する。基本的に上記記録の状態の逆に信号が流れる。まず光ディスクメディア３７から光ピックアップ３５にて光ディスクメディア３７上のピット情報がディジタル変調された状態で読み取られ、Ｒ／Ｗアンプ・等化・サーボ検出回路３４により、波形等化やサーボ信号が検出され、ディスク記録再生フォーマット、誤り訂正部３３によりＭＰＥＧ２映像音声ストリームとしてシリアル信号入出力コネクタ２３に出力される。シリアル信号入出力コネクタ２３から出力された映像音声信号は入出力コネクタ１８に入力された後、システム内部バス１４、ＭＰＥＧ２映像音声符号化部１１にて伸張処理され、カメラ撮像信号処理部２へと送られ、ファインダ制御部９を介しファインダ表示部１０に表示されるとともにカメラ撮像信号処理部２からテレビ信号となってアナログ映像及び音声信号が出力されるようになっている。
【００３９】
次に、第四の信号経路として、カメラブロックだけでも再生処理を行うことができるようになっているのでこれを説明する。ＣＣＤイメージセンサ１からの映像とマイク５からの音声信号を、ＭＰＥＧ２映像音声符号化部１１によってエンコードした映像と音声信号をメモリカード１３に保存することによって記録信号を得ていたが、ディスクブロックを使用することなく、カメラブロックだけでも再生を可能としてる。メモリカード１３にシステムコントロール部１２は読み出しを指示し、その読み出した信号を上記と同様にＭＰＥＧ２映像音声符号化部１１、カメラ撮像信号処理部２へと送り、さらにファインダ制御部９及びファインダ表示部１０で再生映像をみることができる。これにより、カメラブロックだけで再生映像が確認できるので、一般のデジタルカメラ同様に即時再生機能を有することが可能である。即ち上記の様に、本実施例の光ディスクを応用したカメラでは、カメラブロック単体でも撮影再生確認が可能であり、ディスクブロックを取り付け場合、撮像した映像をそのまま光ディスクに保存したり、または一旦カメラブロック内に設けたメモリカード１３の内容を光ディスクメディア３７に転送コピーして、長期保存することも可能なのである。この時、メモリカード１３から光ディスクメディア３７に転送コピーされる速度は、既に撮影時間とは無関係となるので、転送コピー時間は光ディスクドライブが許す範囲で高速にすることも可能である。本実施例においては、システム全体の消費電力を考慮して、撮影時間に対して約１／２の転送コピー時間で、カメラブロックからディスクブロックに映像音声データが保存される。さらに、本発明においては「第一の信号経路」として、カメラブロック内のメモリカード１３に一旦保存し蓄積でき、その情報の全部または一部を選択して光ディスクメディア３７等にコピーすることが可能である。このため、光ディスクなどのライブラリ的なメディアに、記録した映像音声を保存する場合に、ユーザにとって貴重な部分だけを保存することも可能であり、その記録順序を入れ替えたりするなど簡易的な編集作業も可能となる。さらに、記録した映像音声の原本としてメモリカード１３内に保存されているのであるから、光ディスクメディア３７等のメディアを何枚でも複製が可能となり、例えば、ユーザの知人親戚にメディアを配布するといった事にも容易に且つ、低コストに可能となるのである。
【００４０】
メモリカード１３から光ディスクメディア３７にデータを転送コピーする場合についてさらに説明する。ユーザによる操作キー４からの入力または接続検出回路１９からの接続検出後にデータの転送コピーモードに入った場合、システムコントロール部１２はメモリカード１３にあるデータ容量と予め認識している送信データレート及びまたは記録データレートからコピー時間を算出するとともに、電源部１７の電池の電池残量を検出し、予め記憶している転送コピー状態での消費電流とから駆動可能時間を算出する。両時間を比較し、コピー時間が駆動可能時間より長い場合には、駆動可能時間内で転送コピー可能なデータ量を算出し、算出されたデータ量内でメモリカード１３のデータを光ディスクメディア３７に転送コピーする。このようにすることにより、電源バッテリの駆動可能時間の許す限りにおいて、動画映像の一部だけでも転送してコピーすることができ、使い勝手が向上する。
【００４１】
さらに、転送コピー中に電池残量が所定の値を下回った時の転送コピー中断処理及び電池残量が復帰した時の再開処理について説明する。転送コピー中に電池残量が所定の値を下回ったことを、検知したシステムコントロール部１２は、ＭＰＥＧ２ストリームデータのＧＯＰ（Ｇｒｏｕｐ  ｏｆ  Ｐｉｃｔｕｒｅ）の単位で記録を終了する処理に入る制御をする。このとき、同時に光ディスクメディア３７の管理領域に中断したことの情報を保存しておく。次に、電池残量が所定の値を上回ったことをシステムコントロール部１２が検出した場合は、中断時に光ディスクメディア３７の管理領域に中断したことの情報を読取り、記録が中断した時の最後のＧＯＰファイルの次のファイルから残り全部のファイルを転送コピーする制御を行なう。これにより、電源バッテリ取外し等による複製動作の中断時も複製動作を自動的に再開でき、使い勝手が向上する
【００４２】
以上、ＭＰＥＧ２形式に従った動画を記録再生することを説明したが、本カメラはＪＰＥＧ（Ｊｏｉｎｔ  Ｐｈｏｔｏｇｒａｐｈｉｃ  Ｅｘｐｅｒｔｓ  Ｇｒｏｕｐ）形式に従った静止映像も撮影と記録が可能となっている。ＭＰＥＧ形式とＪＰＥＧ形式はＭＰＥＧのＩピクチャエンコード動作において、ほぼ同様な動作であり、ＭＰＥＧ２映像音声符号化の映像部はその回路の一部の動作を切り替えるだけで可能となる。ＭＰＥＧ２映像音声符号化１１から出力された静止映像はひとつのファイルとしてメモリカード１３または光ディスクメディア３７に記録される。また音声データだけを記録することも可能であり、上記の静止画とファイルを関連させることで、静止画つきの音声データとして取り扱うことが可能である。
【００４３】
図３は、本発明の一実施例であるＤＶＤ応用ビデオカメラの外観図の概略を示したものである。大きく分けると、図３の右側がカメラブロックでありＣＣＤイメージセンサ１とメモリカード１３を有するカメラブロックであり、左側が直径が８ｃｍのＤＶＤ−ＲＡＭドライブ部があるディスクブロックである。図３のカメラブロックにおいて、１８は図１の入出力コネクタ１８と同一の映像音声信号および電源の入出力端子である。４０は図１のＣＣＤイメージセンサ１に相当するレンズ及びＣＣＤイメージセンサ部分であり、ここから撮像された映像信号が内部のカメラ撮像信号処理回路２、ＭＰＥＧ２映像音声符号化部１１などでＭＰＥＧ２ストリームとして生成され、メモリカード１３に保存されるとともに、液晶などのファインダ４１にてモニタ表示ができるようになっている。また、一旦メモリカード１３に保存された映像音声信号はカメラブロックの入出力コネクタ１８から左のディスクブロックに対して出力される。入出力コネクタ１８は接続信頼性の高いものでなくてはならないので、その端子はカバーで保護され、カメラブロックだけで使用する場合はカバーで覆うことができる構造となっている。また、カメラブロックの回路全般は電源バッテリ３８によって電源が供給されされ、その一部は入出力コネクタ１８の一部からディスクブロックを駆動できる電源出力が出力される。
【００４４】
図３の右側のディスクブロックにはカメラブロックの入出力コネクタ１８に相当する端子であるシリアル信号入出力コネクタ２３が見えていないが、４３のドライブ筐体の裏側に設けられている。また本実施例の場合、４２は直径８ｃｍの小型版のＤＶＤ−ＲＡＭディスクを入れるディスクカバーの部分であるが、例えばＤＶＤ−ＲＷやＤＶＤ＋ＲＷやＤＶＤ−ＲやＣＤ、ＭＯ、ＭＤ等の他のディスクで記録しても良い。また本実施例の場合は、カメラブロック、ディスクブロックそれぞれの携帯性を重視したため直径８ｃｍの小型版としたが、無論直径１２ｃｍのものでも良い。またＤＶＤ−ＲＡＭカートリッジは外形が四角になっている場合が多いが、本実施例においては、外形が丸いカートリッジで構成されたものを用い、それによってディスクブロックの外形をさらに小型にできるようになっている。
【００４５】
図４は、図３の分離した状態のカメラブロックとディスクブロックを、入出力コネクタ１８とシリアル信号入出力コネクタ２３とを直接接続し、一体化した状態を示す外観図である。図４においての符号は全て図３と同様である。ただし、入出力コネクタ１８は、カメラブロックとディスクブロックの内側となり、破線で示した。図４の様に、ディスクブロックとカメラブロックをケーブル無しに、直接接続できるので、在来のビデオ一体型カメラ同様に携帯性よく使うことができる。またケーブルが無いので、ケーブルを紛失したりする心配が無い。
【００４６】
本実施例では、右のカメラブロックおよび左のディスクブロック共に、タテ形とする形状デザインとしたが、これは一例であり、例えばディスクドライブおよびカメラブロックとも横型にして、平面的な形状デザインで構成することもできる。
【００４７】
図５は、カメラブロックと光ディスクブロックを接続するための入出力コネクタ１８及びシリアル信号入出力コネクタ２３の回路及び接続検出部１９の回路の詳細を示したものである。システムコントロール部１２、電源部１７、ドライブ制御マイコン部３６、電源バッテリ３８は前記と同様のブロックである。５０は、システムコントロール部１２のバックアップ電池で、ユーザが電池を充電しなくても、自動的にカメラブロック内で充電されるもので、カメラブロックが電源ＯＦＦの状態であっても約３Ｖが出力されるようになっている。図５の回路に示されるように、まずディスクブロックのシリアル信号入出力コネクタ２３がカメラブロックの入出力コネクタ１８に接続されていない場合は、バックアップ電池５０からプルアップ抵抗５２を介して、システムコントロール部１２のディスクブロックの接続を検出する端子が、プルアップされて約３Ｖが掛かっており、ディスクブロックに電源や映像音声データを送信する必要が無いことを検出する。次に、ディスクブロックの入出力コネクタ５１がカメラブロックの入出力コネクタ１８に接続された場合は、プルアップ抵抗５２の一方がＧＮＤに接続されるので、システムコントロール部１２のディスクブロックの接続を検出する端子が、約０Ｖとなり、ディスクブロックが接続されたことをシステムコントロール部１２が検出する。このような回路により、カメラブロックとディスクブロックの接続を検出することができる。
【００４８】
ここで、カメラブロックとディスクブロックの接続を検出した場合は、カメラブロック内の電源部１７をＯＮし、電源バッテリ３８の電力を入出力コネクタ１８を介して、ディスクブロックのシリアル信号入出力コネクタ２３の電源端子に供給し、それを受けた、ディスクブロック内のドライブ制御マイコン部３６は起動処理を行って、光ディスクメディア３７の認識作業を開始し、カメラブロック内のメモリカード１３の映像音声データをコピーできるように、待機状態とし、その後メモリカード１３のデータを転送コピーする動作となる。
【００４９】
図６は、本実施例のＤＶＤ応用ビデオカメラのカメラブロックとディスクブロックを一体化させた時、カメラブロック内のメモリカード１３の映像音声信号をディスクブロックの光ディスクメディア３７に転送コピーする場合のシステムコントロール部１２の処理フローを示したものである。本実施例ではディスクブロックの電源もカメラブロック内に設けた電源バッテリ３８と電源部１７から、入出力コネクタ１８内に設けた電源端子から供給されるようになっている。
【００５０】
フローの上部から説明すると、まず、ステップ６０１でディスクブロックがカメラブロックに接続されたことを、前記のバックアップ電池５０に接続されたプルアップ抵抗５２によって検出する。次に、ステップ６０２でカメラブロック内のシステムコントロール部１２において、カメラのユーザがカメラブロックとディスクブロックを一体化させた時、メモリカード１３の映像音声信号を転送コピーしないモードが選択されているかどうかを検出する。ステップ６０２で転送コピーをしないモードが選択されている場合はステップ６１１で処理を終了する。
【００５１】
ステップ６０２で転送コピーをするモードに選択されている場合には、ステップ６０３でシステムコントロール部１２は電源部１７をＯＮし、入出力コネクタ１８を介してディスクブロックに対して電源供給及びディスクブロックの電源をＯＮするための制御信号を送信し、ディスクブロック内のディスクドライブを起動する。次に、ステップ６０４でディスクブロックが動作して負荷電流が流れた状態を、システムコントロール部１２が監視して、電源バッテリ３８の電池残量を取得するとともに取得した電池残量とあらかじめ記憶されている本カメラの消費電流とから、本カメラの駆動可能時間を算出する。次に、ステップ６０５でメモリカード１３の記録使用データ容量をメモリカード１３にアクセスして取得し、取得したデータ容量値と予めシステムコントロール部１２の記憶部に記憶されている送信データレート及びまたは記録データレートとから転送コピー時間を算出する。次に、算出した駆動可能時間と転送コピー時間をステップ６０６で比較し、電池の駆動可能時間が長い場合は、ステップ６０７でメモリカード１３を被うようにして付けられたフタのロック爪の動作を制限することによりメモリカード１３がカードスロット１６から抜くことを禁止する処理をする。転送コピーの所要時間が数分間以上であっても、ユーザの誤った操作で、メモリカード１３を抜くことによるディスクブロック内のファイルが破損してしまうことを防止できる。
【００５２】
次に、ステップ６０８でメモリカード１３のデータを読出し、ディスクブロック内の光ディスクメディア３７へデータを転送コピーする処理を行う。次に、ステップ６０９でメモリカード１３の転送コピーすべきデータが全て転送コピーされたかを判定し、全て転送コピーされていない場合はステップ６０８に戻り転送コピー処理を継続する。ステップ６０９で全て転送コピーされた場合にはステップ６１０で処理を終了する。
【００５３】
ステップ６０６で、転送コピー時間の方が長い場合には、ステップ６１２で駆動可能時間内で転送コピー可能なデータ量を算出し、算出されたデータ量内でメモリカード１３のデータの内転送するデータを決定する。この後、ステップ６０７に進み、以降ステップ６０７でメモリカード１３がカードスロット１６から抜くことを禁止、ステップ６０８でメモリカード１３のデータを読出しディスクブロック内の光ディスクメディア３７へデータを転送コピー、ステップ６０９で転送コピー可能と決めたデータが全て転送コピーされたかを判定し、全て転送コピーされた場合にはステップ６１０で処理を終了する。
【００５４】
このように、基本的には完全に転送コピーされないが、ユーザの判断によっては、一部だけ実行することができるような選択枝をもたせることも可能である。すなわち、カメラブロック内のメモリカード１３の一部しか転送コピーできないが、その何割かがコピーされることで、ユーザが実用性を得ることも装置の使用形態によっては可能であるためである。電池が転送コピーの途中で不足すると予測される場合でも、終了処理を行えるだけの電池容量を確保しておいて、転送コピー動作を中断し、光ディスクドライブ側のファイルをクローズしてしまうのである。また、ここで、転送コピーの途中で電池が不足になると予測される場合は、カメラのユーザへその報知としてメッセージ表示を行うこともできる。
【００５５】
また、ここで、１．４Ｇｂｙｔｅものデータ容量のメモリカード１３の内容を転送コピーしようとすると、一般には約１０分以上の転送コピー時間が必要になることがある。このため、転送コピーの途中で転送コピーの状態を停止させることのできるメッセージをファインダ表示部１０に表示させて、ユーザに選択させる方法もある。
【００５６】
また、ここで、表示画面の一部にメモリカード１３の何パーセントが転送コピーされない、または何分までしか転送コピーされないなどと表示する方法もある。この様な表示により装置のユーザが使い易いものとなる。
【００５７】
図７は、図６のステップ６０９の転送コピー動作の処理フロー中、本カメラがカメラブロックからディスクブロックへ映像と音声データを転送コピーする動作中に、本カメラの電源バッテリ３８等の電源が遮断してしまった場合に対応するための処理フローを示したものである。
【００５８】
ステップ７０１でデータの転送コピー処理動作を開始し、ステップ７０２で光ディスクメディア３７内の記録データを検索して、前回保存された状態が正常であったか、異常な終了であったかの履歴を示す「異常停止フラグ」を検出する。この「異常停止フラグ」は、記録する動作は後述するが、本カメラの電源停止やメディアに対する書込み動作の不具合などが発生したことを示すステータスフラグである。次にステップ７０３にて「異常停止フラグ」が有りと判別した場合、ステップ７０４にて例えば、光ディスクメディア３７内のデータ構造が物理的に破損していないかどうかを判別する。通常の記録状態で停止していれば、「異常停止フラグ」はないのでステップ７０３の結果は「異常なし」となり、ステップ７０５に進む。ステップ７０４の結果で物理的に破損している場合は、ファイルの修復は不可能なため、ステップ７０６にて、本カメラのファインダ表示部１０に、例えば「ファイル修復ができません。光ディスクを確認してください。」などとアラームを表示することで、本カメラのユーザに警告する。上記ステップ７０４にて論理的にデータ構造が破損しているだけの場合はファイルの修復は可能なため、ステップ７０５にて光ディスクメディア３７内に記録済の映像音声ストリームデータから、次に記録する場合のＧＯＰファイルのコピー位置を示すカウンタ値を取得し、これから転送コピーする位置を確定する。次に、ステップ７０７で上記光ディスクメディア３７の記録済ＧＯＰファイルとメモリカード１３内にあるＧＯＰファイルとを比較して、カメラブロック内にあるメモリカード１３内の次に転送コピーするＧＯＰファイルの記録位置を検出し、ステップ７０８で転送コピーするＧＯＰファイルの頭出し処理を行い、メモリカード１３内に該当する映像音声データが存在し、頭出しが終了した場合は、ステップ７０９以降で転送コピー処理動作を継続する。
【００５９】
ここで、本実施例では自動的にステップ７０９以降に進行させるようになっているが、本カメラのユーザに、転送コピーを継続するかどうかの確認メッセ−ジを表示するようにしてもよい。表示するようにした方が、ユーザの誤操作が無くなり使い勝手が良くなる。
【００６０】
一方、ステップ７０８でＧＯＰファイルの比較によって、メモリカード１３内に転送コピーを行うべきＧＯＰファイルが見当たらず頭出し処理が終了しない場合は、ステップ７１０で「メモリーエラー」または「転送するデータがありません。」などのアラーム表示をファインダ表示部１０に出力表示し、処理を終了する。
【００６１】
ステップ７０８で頭出しが終了した場合は、転送コピーが継続できる条件であるので、ステップ７０９でまず、光ディスクメディア３７内に「異常停止」を示す「異常停止フラグ」を所定の記録エリアに記録しておく。このフラグのためのデータは例えば１ビットで構成でき、大変小規模なものである。
【００６２】
次に、ステップ７１１でカメラブロック内のメモリカード１３の映像音声データを読み込み、光ディスクメディア３７へデータ転送とコピーを行う。この時、映像音声データはＭＰＥＧ方式の区切りであるＧＯＰ単位で、転送コピーされる。このＧＯＰは映像の画面構成がグループで塊になる単位で、記録データの管理がしやすくなるものである。
【００６３】
次に、ステップ７１２でディスクブロックで光ディスクメディア３７への記録動作が終了するのを待つために０．５秒待ち、ステップ７１３、ステップ７１４及びステップ７１５で、ユーザからのキー操作による強制的終了や、光ディスクメディア３７の記録残量、メモリカード１３内のコピーすべきデータの残量および電源バッテリの残量を検出し、キー操作による強制終了なし、コピー残量があり及びバッテリ残量がある場合にはステップ７１１に戻り転送コピー処理動作を継続する。一方、ステップ７１３またはステップ７１４でキー操作による強制終了ありまたはコピー残量がなしまたはバッテリ残量がなくなった場合には、正常に転送コピーがされたということで、ステップ７１６で所定の記録エリアに記録してある「異常停止フラグ」を消去して、ステップ７１７で正常終了を示した状態で制御処理を終了するようになっている。
【００６４】
上記した様に、転送コピー処理はステップ７１２の時間タイマ処理により、ＧＯＰファイル毎に行なっており、電源バッテリの残量不足が発生した場合は、ステップ７１５にて、電池残量が記録の終了処理を行うための処理時間を確保できる所定の値以下に低下したことをシステムコントロール部１２で検出し、ステップ７１６に移行して、「異常停止フラグ」を消去し、ステップ７１７でコピー制御を正常終了させる。
【００６５】
ここで、転送コピー処理はＧＯＰファイル毎に行なっており、電源トラブルにより電池残量が所定の値以下に低下したことをシステムコントロール部１２で検出した場合は、ＧＯＰファイルの最後まで記録するようになっており、データが途中で破壊されることを防止している。
【００６６】
一方、ステップ７１１からステップ７１５までの間で転送コピー処理をしている途中に、電源バッテリが抜かれた場合や、電源のＡＣアダプタの電灯線が停電した時のように電源トラブルにより異常に処理が終了するような場合は、ステップ７１６で「異常停止フラグ」消去の処理を行うことが無いので、「異常停止フラグ」が光ディスクメディア３７上に記録されたままとなり、異常な状態で終了したことを示すことができるのである。この様に、途中で電源バッテリ３８等の電源が遮断してしまう等の電源トラブルにより異常に処理が終了した場合には、「異常停止フラグ」の情報が光ディスクメディア３７上に残るため、再度、電源不足などを解決して本カメラを起動した場合に、ステップ７０２からステップ７０４動作を実行することができるようになるので、自動的にメモリカード１３の内容を転送コピーできるようにすることができる。このため、本カメラのユーザは、電源の状態などに神経を使う必要なく、使うことができるようになる。
【００６７】
ここで、上記電池残量の低下を検出するための所定の値は、電源バッテリが抜かれた場合でも、内部回路残留の電力によりＧＯＰファイル単位での処理が終了することができる値に設定されるようにしてもよい。
【００６８】
図８は、図１及び図３のメモリカード１３の挿抜を制限するための構造部分の一実施例示したものである。１６はメモリカードのカードスロット、６０はメモリカードのフタ、６１はフタのロック爪、６２はロック爪を保持する構造部材、６４はフタ６０が開いていることを検出するためのスイッチ、２０はロック爪を保持する構造部材を駆動するソレノイドである。メモリカード１３をカードスロット１６に挿入してフタ６０を閉じると、ロック爪６１は点線の位置に移動し構造部材６２で引っかかり固定される。ここで、転送コピー動作が開始されると、システムコントロール部１２はスイッチ６４によりフタ６０が閉じていることを認識し、ソレノイド２０を駆動してソレノイド２０の芯の部分を矢印の右に動かし、ロック爪６２を固定し、フタ６０が開くことができなくする。これにより、転送コピー中にはメモリカード１３の取り外しを禁止できる。尚、フタ６０が空いている場合にはスイッチ６４によりフタ６０が開いていることをシステムコントロール部１２が認識し転送コピー動作に入ることを禁止するようになっている。このように、転送コピー動作に入っている時間では、ユーザによってメモリカード１３を触らせない構造とすることができる。これにより、約数分が必要な映像音声データの転送コピー動作を確実に行うことができるようにしている。
【００６９】
本実施例では、電池の駆動可能時間を算出するために予め記録されている転送コピー時の消費電流テーブルを使用することとしたが、カメラブロックとディスクブロックを接続した状態で消費電流を検出してその検出電流値を使用して電池の駆動可能時間を算出するようにしても構わない。
【００７０】
本実施例の説明したメモリカード１３の取外し防止のための構造は、図８の内容に限ったものではなく、ソレノイド２０やスイッチ６４を使用しない構造でも構わなく、メモリカード１３の取外しができない構造であればよい。
【００７１】
【発明の効果】
本発明によれば、カメラブロックと記録媒体を内蔵したディスクブロックとで構成される映像信号記録再生装置において、カメラブロックに着脱自在のメモリカードを内蔵し、メモリカードを交換することによりカメラブロック単体で長時間記録を可能にした使い勝手の良い映像信号記録再生装置を提供することができる。さらに、カメラブロックとディスクブロックを接続した時、カメラブロックのメモリカードからディスクブロックの記録媒体への自動コピー、メモリカード取外しロックさらに中断時の自動再開等の使い勝手の良い映像信号記録再生装置を提供することができる。
【図面の簡単な説明】
【図１】実施例のディスクを応用したビデオカメラのカメラブロックの回路ブロック図。
【図２】実施例の光ディスクを応用したビデオカメラの光ディスクブロックの回路ブロック図。
【図３】実施例の光ディスクを応用したビデオカメラの構造外観図。
【図４】実施例のビデオカメラの構造外観図。
【図５】実施例の入出力端子コネクタの詳細回路図。
【図６】実施例の光ディスクブロックをカメラブロックに接続した場合の転送コピー機能のフローチャート。
【図７】実施例の転送コピー中の異常停止時および電源復帰後のフローチャートの詳細図。
【図８】実施例のメモリカードのフタの構造部分の詳細図。
【符号の説明】
１  ＣＣＤイメージセンサ
２  カメラ撮像信号処理部
１１  ＭＰＥＧ２映像音声符号化部
１２  カメラブロック側を制御するシステムコントロール部
１３  映像と音声を保存するメモリカード
１７  電源部
１８  カメラブロック側に配置された入出力コネクタ
１９  接続検出部
２３  ディスクブロック側に配置されたシリアル信号入出力コネクタ
２０  メモリカードのフタをロックするソレノイド
２３  ディスクブロック側に配置された入出力コネクタ部
３３  ディスク記録再生フォーマット処理と誤り訂正処理部
３５  光ピックアップ
３７  光ディスクメディア
３８  電源バッテリ
４２  ８ｃｍサイズの光ディスクを挿入可能としたディスクドライブのディスクカバー
４３  ８ｃｍサイズの光ディスクを挿入可能としたディスクドライブの筐体
６０  メモリカードのフタ
６１  メモリカードのフタをロックする爪
６２  ロック爪を保持する構造部材
６４  フタ開閉検出のスイッチ
【図１】
2004260701.tif 000003
【図２】
2004260701.tif 000004
【図３】
2004260701.tif 000005
【図４】
2004260701.tif 000006
【図５】
2004260701.tif 000007
【図６】
2004260701.tif 000008
【図７】
2004260701.tif 000009
【図８】
2004260701.tif 000010